(57)【特許請求の範囲】
【請求項１】
タイヤ周方向に対し傾斜して延びるコードのゴム引き層からなり、前記コードが層間で互いに交差してなる２層の傾斜ベルト層からなるベルトを備える空気入りタイヤであって、
前記空気入りタイヤを適用リムに装着し、規定内圧を充填して無負荷とした状態において、
前記２層の傾斜ベルト層は、タイヤ幅方向の幅が異なり、
前記２層の傾斜ベルト層のうち、タイヤ幅方向の幅の広い一方の傾斜ベルト層のタイヤ幅方向の幅をＷ１(mm)とし、他方の傾斜ベルト層のタイヤ幅方向の幅をＷ２(mm)としたとき、比Ｗ２／Ｗ１は、関係式
０．２５≦（Ｗ２／Ｗ１）≦０．８
を満たし、
前記ベルトのタイヤ径方向外側に、タイヤ周方向に沿って延びるコードのゴム引き層からなる１層以上の周方向ベルト層からなる補強ベルトをさらに備え、
前記補強ベルトの前記周方向ベルト層のうち少なくとも１層の前記周方向ベルト層は、タイヤ赤道面を跨ってタイヤ幅方向に延在し、
前記一方の傾斜ベルト層の端部と前記他方の傾斜ベルト層の端部との間のタイヤ幅方向領域における前記補強ベルトの周方向剛性は、前記領域よりタイヤ幅方向内側における前記補強ベルトの周方向剛性よりも高い、ことを特徴とする空気入りタイヤ。
【請求項２】
前記比Ｗ２／Ｗ１は、関係式
０．６≦（Ｗ２／Ｗ１）≦０．８を満たす、請求項１に記載の空気入りタイヤ。
【請求項３】
前記領域内に設けられた周方向ベルト層の層数は、前記領域よりタイヤ幅方向内側に設けられた周方向ベルト層の層数よりも多い、請求項１または２に記載の空気入りタイヤ。
【請求項４】
前記領域内には２層の周方向ベルト層が設けられ、前記領域よりタイヤ幅方向内側には１層の周方向ベルト層が設けられている、請求項３に記載の空気入りタイヤ。
【請求項５】
それぞれの前記周方向ベルト層の周方向剛性が同じである、請求項３または４に記載の空気入りタイヤ。
【請求項６】
前記傾斜ベルト層の前記コードのタイヤ周方向に対する傾斜角度θは、１０°≦θ≦３０°である、請求項１〜５に記載の空気入りタイヤ。
【請求項７】
前記タイヤ赤道面を跨ってタイヤ幅方向に延在する、少なくとも１層の前記周方向ベルト層は、前記ベルトのタイヤ幅方向全体を覆う、請求項１〜６のいずれかに記載の空気入りタイヤ。
【発明の詳細な説明】
【技術分野】
【０００１】
本発明は、空気入りタイヤに関し、特にコーナリングフォースの荷重依存性を低減しつつ、耐久性も確保可能な空気入りタイヤに関する。
【背景技術】
【０００２】
従来、空気入りタイヤの補強として、ビード部間に跨るカーカスのクラウン部のタイヤ径方向外側に、タイヤ周方向に対して傾斜して延びるコードを有する傾斜ベルト層を配設した空気入りタイヤがある。
【０００３】
すなわち、傾斜ベルト層によりタイヤ幅方向の剛性を確保して、操縦安定性の重要な指標の１つであるコーナリングフォースを得ることが行われている。
【０００４】
このような補強構造を採用した場合、コーナリングフォースは増大する。しかしながら、タイヤへの負荷荷重の大きさに応じて得られるコーナリングフォースの大きさに差が生じる、いわゆる荷重依存性の問題が生じる。例えば、前輪と後輪とでタイヤへの負荷荷重の大きさが大きく異なる小型ＦＦ車両に、上述の補強構造を有する空気入りタイヤを装着した場合、前輪で得られるコーナリングフォースが、後輪で得られるコーナリングフォースより著しく大きくなることにより、例えばオーバーステア傾向になり、コーナリング時の操縦安定性が低下する問題がある。
【０００５】
これに対し、特許文献１では、トレッド幅方向の端部領域に周溝を設け、この周溝の底部に環状の補強材を配置することにより、タイヤの剛性を確保しつつも、コーナリングフォースの荷重依存性を実質的に増大させない空気入りタイヤが提案されている。
【先行技術文献】
【特許文献】
【０００６】
【特許文献１】特開２００７−６２４６８号公報
【発明の概要】
【発明が解決しようとする課題】
【０００７】
しかしながら、特許文献１に示す補強構造では、補強材を構成するナイロンコード等を空気入りタイヤとは別部材として準備する必要がある。またナイロンコード等を溝底に巻き回して配置する工程が必要となる。そのため、空気入りタイヤの製造コストが上昇する問題がある。また補強材が外部に露出しているため、走行時に外部から大きな力が補強材に加わると、補強材が破断して、十分な剛性が得られない場合が生じる問題がある。従って、上記のような補強材を用いずに、コーナリングフォースの荷重依存性を改善、即ち低減する手法が希求されている。
【０００８】
本発明は、上記課題に鑑み、コーナリングフォースの荷重依存性を低減しつつ、耐久性も確保可能な空気入りタイヤを提供することを目的とする。
【課題を解決するための手段】
【０００９】
本発明の要旨構成は、以下の通りである。
（１）本発明の空気入りタイヤは、タイヤ周方向に対し傾斜して延びるコードのゴム引き層からなり、前記コードが層間で互いに交差してなる２層の傾斜ベルト層からなるベルトを備える空気入りタイヤであって、前記空気入りタイヤを適用リムに装着し、規定内圧を充填して無負荷とした状態において、前記２層の傾斜ベルト層は、タイヤ幅方向の幅が異なり、前記２層の傾斜ベルト層のうち、タイヤ幅方向の幅の広い一方の傾斜ベルト層のタイヤ幅方向の幅をＷ１(mm)とし、他方の傾斜ベルト層のタイヤ幅方向の幅をＷ２(mm)としたとき、比Ｗ２／Ｗ１は、関係式０．２５≦（Ｗ２／Ｗ１）≦０．８を満たし、前記ベルトのタイヤ径方向外側に、タイヤ周方向に沿って延びるコードのゴム引き層からなる１層以上の周方向ベルト層からなる補強ベルトをさらに備え、前記補強ベルトの前記周方向ベルト層のうち少なくとも１層の前記周方向ベルト層は、タイヤ赤道面を跨ってタイヤ幅方向に延在し、前記一方の傾斜ベルト層の端部と前記他方の傾斜ベルト層の端部との間のタイヤ幅方向領域における前記補強ベルトの周方向剛性は、前記領域よりタイヤ幅方向内側における前記補強ベルトの周方向剛性よりも高い、ことを特徴とする。このような構成とした本発明の空気入りタイヤでは、コーナリングフォースの荷重依存性を低減しつつ、耐久性も確保することができる。
【００１０】
なお、「適用リム」とは、タイヤが生産され、使用される地域に有効な産業規格であって、日本ではＪＡＴＭＡ  ＹＥＡＲ  ＢＯＯＫ、欧州ではＥＴＲＴＯ  ＳＴＡＮＤＡＲＤＳ  ＭＡＮＵＡＬ、米国ではＴＲＡ  ＹＥＡＲ  ＢＯＯＫ等に記載されている、適用サイズにおける標準リム（ＥＴＲＴＯのＳＴＡＮＤＡＲＤＳ  ＭＡＮＵＡＬではＭｅａｓｕｒｉｎｇ  Ｒｉｍ、ＴＲＡのＹＥＡＲ  ＢＯＯＫではＤｅｓｉｇｎ  Ｒｉｍ）を指す。「規定内圧」とは、適用サイズのタイヤにおける上記規格のタイヤの最大負荷能力に対応する内圧をいうものとする。
【００１１】
ここで、「タイヤ周方向に沿って延びる」とは、コードがタイヤ周方向に平行である場合や、コードをゴム被覆したストリップを螺旋巻回してベルト層を形成した結果等により、コードがタイヤ周方向に対してわずかに傾斜している場合（タイヤ周方向に対する傾斜角度が５°以下）を含むものとする。また、「補強ベルトの周方向剛性」とは、補強ベルトからタイヤ幅方向の単位幅、周方向の単位長さ、かつ、径方向に存在する全ての周方向ベルト層を含む厚みを有する単位補強ベルトを切り出すとともに、該切り出した単位補強ベルトに対しコードの延在方向の張力を付与したとき、切り出された単位補強ベルトに、コードの延在方向のある一定の歪みを発生させるために必要な力のことをいう。「前記一方の傾斜ベルト層の端部と前記他方の傾斜ベルト層の端部との間のタイヤ幅方向領域における前記補強ベルトの周方向剛性は、前記領域よりタイヤ幅方向内側における前記補強ベルトの周方向剛性よりも高い」とは、「一方の傾斜ベルト層の端部と前記他方の傾斜ベルト層の端部との間のタイヤ幅方向領域における前記補強ベルトの周方向剛性」の平均が、「領域よりタイヤ幅方向内側における前記補強ベルトの周方向剛性」の平均よりも高いことを指すものである。
さらに、「一方の傾斜ベルト層の端部と他方の傾斜ベルト層の端部との間のタイヤ幅方向領域」とは、タイヤ赤道面を境界とするタイヤ幅方向の一方の半部側にある一方の傾斜ベルト層の端部と他方の傾斜ベルト層の端部との間のタイヤ幅方向領域、又はタイヤ幅方向の他方の半部側にある一方の傾斜ベルト層の端部と他方の傾斜ベルト層の端部との間のタイヤ幅方向領域を指すものである。
【００１２】
（２）本発明の空気入りタイヤは、前記比Ｗ２／Ｗ１は、関係式、０．６≦（Ｗ２／Ｗ１）≦０．８を満たすことが好ましい。このようにすると、タイヤの剛性を高く維持することができ、十分なコーナリングフォースを得ることができる。
【００１３】
（３）本発明の空気入りタイヤは、前記領域内に設けられた周方向ベルト層の層数は、前記領域よりタイヤ幅方向内側に設けられた周方向ベルト層の層数よりも多いことが好ましい。簡易な構成により、一方の傾斜ベルト層の端部と他方の傾斜ベルト層の端部との間のタイヤ幅方向領域の剛性を高めることができるからである。ここで、「領域内に設けられた周方向ベルト層の層数は、領域よりタイヤ幅方向内側に設けられた周方向ベルト層の層数よりも多い」とは、「領域内に設けられた周方向ベルト層」の平均の層数が、「領域よりタイヤ幅方向内側に設けられた周方向ベルト層」の平均の層数よりも多いことを指すものである。
【００１４】
（４）本発明の空気入りタイヤは、前記領域内には２層の周方向ベルト層が設けられ、前記領域よりタイヤ幅方向内側には１層の周方向ベルト層が設けられていることが好ましい。このような構成であれば、少ない部材数で一方の傾斜ベルト層の端部と他方の傾斜ベルト層の端部との間のタイヤ幅方向領域の剛性を高めることができる。
（５）本発明の空気入りタイヤは、それぞれの前記周方向ベルト層の周方向剛性が同じであることが好ましい。
【００１５】
（６）本発明の空気入りタイヤは、前記傾斜ベルト層の前記コードのタイヤ周方向に対する傾斜角度θは、１０°≦θ≦３０°であることが好ましい。このようにすると、幅方向剛性が過度に低くなることを抑制して、高荷重時のコーナリングフォースが低くなりすぎることを抑制できる。
（７）本発明の空気入りタイヤは、前記タイヤ赤道面を跨ってタイヤ幅方向に延在する、少なくとも１層の前記周方向ベルト層は、前記ベルトのタイヤ幅方向全体を覆うことが好ましい。
【発明の効果】
【００１６】
本発明により、コーナリングフォースの荷重依存性を低減しつつ、耐久性も確保可能な空気入りタイヤを提供することができる。
【図面の簡単な説明】
【００１７】
【図１】本発明の第１の実施形態に係る空気入りタイヤのタイヤ幅方向の概略的な断面図である。
【図２】図１のタイヤのベルト構造を概略的に示す図である。
【発明を実施するための形態】
【００１８】
本発明者は、上記の課題を解決すべく鋭意検討を重ねた結果、２層の傾斜ベルト層からなるベルトを備える空気入りタイヤにおいて、タイヤ幅方向の幅が異なる２層の傾斜ベルト層からベルトを構成し、かつ、傾斜ベルト層が１層しか存在しない領域を周方向ベルトからなる補強ベルトで補強すると、コーナリングフォースの荷重依存性を低減できる場合があることを見出した。
【００１９】
２層の傾斜ベルト層のうち一方の傾斜ベルト層の幅を狭くすると、ベルト剛性が低下してベルトがタイヤ幅方向に変位しやすくなり、得られるコーナリングフォースが減少する。ここで低荷重時においては、コーナリング時のベルトの変位量は小さい。そのため低荷重時では、ベルトの剛性の低下によるコーナリングフォースの減少の大きさは小さい。
【００２０】
一方高荷重時においては、ベルトの変位が大きくなる。ここで、高荷重時においては、コーナリング時のベルトの変位量は大きい。そのため、ベルト変位により減少するコーナリングフォースの大きさは大きくなる。
【００２１】
このように、高荷重時のほうがベルト変位により低減するコーナリングフォースの大きさが大きくなるので、２層の傾斜ベルト層のうち一方の傾斜ベルト層の幅を狭くすることにより、コーナリングフォースの荷重依存性を低減できる。しかしながら、どちらかの傾斜ベルト層の幅を狭くすると、傾斜ベルト層の層数が少ない領域が生じる。この領域では、傾斜ベルト層が少ないため、例えばタイヤが径成長しやすくなるなどの理由で、タイヤの耐久性が低下してしまう。
【００２２】
そこで発明者は、低減したコーナリングフォースの依存性が再び大きくなることなく、この領域の耐久性を補填する手段について検討を重ねた。その結果、傾斜ベルト層の幅を狭くすることにより傾斜ベルト層の数が少なくなった領域に、剛性を補填するための周方向コード層を設けても、高荷重時のコーナリングフォースが大きく増加しないことを見出した。局所的に設けた周方向コード層は、タイヤ幅方向の剛性にほとんど寄与せず、傾斜ベルト層の変位を抑制しないからと考えられる。
【００２３】
これらの知見に基づき、本発明者は、２つの傾斜ベルト層の寸法比についてさらに検討を重ねた結果、本発明を見出した。
【００２４】
以下、本発明の実施形態について図面を参照して詳細に例示説明する。
【００２５】
図１は、本発明の第１の実施形態に係る空気入りタイヤ（以下、単に「タイヤ」とも称する）のタイヤ幅方向の概略的な断面図である。また、図１においては、タイヤを適用リムに装着し、規定内圧を充填し、無負荷状態とした、状態（以下「基準状態」ともいう）の際のタイヤのタイヤ幅方向断面を示している。
【００２６】
図１に示すように、本実施形態のタイヤ（空気入りタイヤ）１は、一対のビード部２に埋設されたビードコア２ａ間をトロイダル状に跨るカーカス３と、カーカス３のクラウン部のタイヤ径方向外側に配置されたベルト４と、ベルト４のタイヤ径方向外側に配置されたトレッド５とを備えている。カーカス３のカーカスプライのコードの材質は、特には限定しないが、例えばスチールコード等を用いることができる。
【００２７】
図１に示す第１の実施形態にかかるタイヤ１のベルト４は、タイヤ幅方向の幅Ｗ１を有する傾斜ベルト層４ａと、傾斜ベルト層４ａよりも狭いタイヤ幅方向の幅Ｗ２を有する傾斜ベルト層４ｂとから構成されている。２層の傾斜ベルト層４ａ、４ｂは、ベルトコードがタイヤ周方向に対して傾斜して延び、層間でベルトコードが互いに交差する、ベルト層である。ベルトコードの材質は、特には限定しないものの、スチールコードを用いることが好ましい。タイヤ径方向内側に配置された一方の傾斜ベルト層４ａは、タイヤ径方向外側に配置された他方の傾斜ベルト層４ｂのタイヤ幅方向の幅Ｗ２よりも広いタイヤ幅方向の幅Ｗ１を有している。本発明では、傾斜ベルト層４ａの幅Ｗ１と傾斜ベルト層４ｂの幅Ｗ２との比Ｗ２／Ｗ１が、関係式０．２５≦（Ｗ２／Ｗ１）≦０．８を満たすように傾斜ベルト層４ａ及び傾斜ベルト層４ｂが構成されている。特に本実施形態では、比Ｗ２／Ｗ１が、関係式０．６≦（Ｗ２／Ｗ１）≦０．８を満たすように傾斜ベルト層４ａ及び傾斜ベルト層４ｂが構成されている。なお、タイヤ径方向内側にタイヤ幅方向の幅の狭い傾斜ベルト層４ｂを配置し、タイヤ径方向外側にタイヤ幅方向の幅の広い傾斜ベルト層４ａを配置してもよい。
【００２８】
図２は、図１のタイヤのベルト４の構造を概略的に示す図である。本実施形態においては、タイヤ幅方向の幅の広い傾斜ベルト層４ａのコードのタイヤ周方向に対する傾斜角度θ１が、１０°≦θ１≦３０°となるように傾斜ベルト層４ａを設けている。また本実施形態では、タイヤ幅方向の幅の狭い傾斜ベルト層４ｂのコードのタイヤ周方向に対する傾斜角度θ２が、１０°≦θ２≦３０°となるように傾斜ベルト層４ｂを設けている。なお、本実施形態の傾斜ベルト層４ａ及び傾斜ベルト層４ｂは、傾斜ベルト層４ａ及び傾斜ベルト層４ｂのタイヤ幅方向の中心がタイヤ赤道面ＣＬに一致するように設けられている。
【００２９】
本発明のタイヤ１はさらに、図１に示すように、ベルト４のタイヤ径方向外側に、補強ベルト６を備えている。本実施形態の補強ベルト６は、２層の周方向ベルト層６ａ及び６ｂから構成されている。周方向ベルト層６ａは、ベルト４のタイヤ幅方向全体を覆うように構成されている。周方向ベルト層６ｂは、周方向ベルト層６ａのタイヤ径方向外側のうち、傾斜ベルト層４ａの端部と傾斜ベルト層４ｂとの端部との間のタイヤ幅方向領域のみに分離して設けられている。周方向ベルト層６ａ及び６ｂは、有機繊維からなるコードを用いることが好ましく、特には限定しないが、アラミド等の有機繊維からなるコードや、アラミドとナイロンのハイブリッドコード等を用いることができる。本実施形態では、周方向ベルト層６ａのタイヤ径方向外側に周方向ベルト層６ｂを設けているが、周方向ベルト層６ａのタイヤ径方向内側に周方向ベルト層６ｂを設けてもよい。
【００３０】
以下、本実施形態のタイヤの作用効果について説明する。
本実施形態のタイヤによれば、まず上述の基準状態において、ベルト４を構成する２層の傾斜ベルト層のうち、タイヤ幅方向の幅の広い傾斜ベルト層４ａのタイヤ幅方向の幅をＷ１とし、傾斜ベルト層４ｂのタイヤ幅方向の幅をＷ２としたとき、比Ｗ２／Ｗ１が、関係式、０．２５≦（Ｗ２／Ｗ１）≦０．８を満たしている。本実施形態のタイヤ１ではさらに、周方向ベルト層６ａ及び６ｂからなる補強ベルト６をさらに備え、補強ベルト６の周方向剛性は、傾斜ベルト層４ａの端部と傾斜ベルト層４ｂの端部との間のタイヤ幅方向領域の方が、この領域よりタイヤ幅方向内側よりも高くしている。
【００３１】
上述したように、低荷重時においては、コーナリング時のベルトの変位量は小さい。そのため低荷重時では、ベルトの剛性の低下によるコーナリングフォースの低減の大きさは小さい。一方高荷重時においては、ベルトの変位が大きくなる。ここで、高荷重時においては、コーナリング時のベルトの変位量は大きい。そのため、ベルト変位により減少するコーナリングフォースの大きさは大きくなる。このように、高荷重時のほうがベルト変位により低減するコーナリングフォースの大きさが大きくなるので、２層の傾斜ベルト層のうち一方の傾斜ベルト層の幅を狭くすることにより、コーナリングフォースの荷重依存性を低減している。また、傾斜ベルト層の幅を狭くすることにより傾斜ベルト層の数が少なくなった部分に、剛性を補填するための周方向コード層を設けて、高荷重時のコーナリングフォースが大きく増加させずに、傾斜ベルト層の幅を狭くすることにより傾斜ベルト層の数が少なくなった領域におけるタイヤの径成長を抑制して耐久性を補填している。
【００３２】
以上により、本実施形態のタイヤによれば、コーナリングフォースの荷重依存性を低減しても、耐久性を確保することができる。
【００３３】
なお、０．２５＞（Ｗ２／Ｗ１）となると、ベルト剛性が小さくなりすぎて十分なコーナリングフォースが得られない場合が生じうる。また、（Ｗ２／Ｗ１）＞０．８となると、ベルト剛性の低下が不十分となり、コーナリングフォースの荷重依存性を低減させることができない場合が生じうる。
【００３４】
特に、前述の定義による周方向剛性に関し、傾斜ベルト層４ａの端部と傾斜ベルト層４ｂの端部との間の領域における補強ベルト６の周方向剛性は、その領域よりタイヤ幅方向内側における補強ベルト６の周方向剛性の１．５〜２．５倍とすることが好ましい。
【００３５】
ここで本発明にあっては、比Ｗ２／Ｗ１が、関係式０．６≦（Ｗ２／Ｗ１）≦０．８を満たすことが好ましい。ベルト層４ａ及び４ｂをこのような構成にすると、タイヤの剛性を高く維持しつつも、タイヤの剛性が過度に高くなることを抑制することができる。そのため、十分なコーナリングフォースを得つつも、高荷重時のコーナリングフォースが高くなることを抑制できる。
【００３６】
図１の実施形態に示すように、本発明の空気入りタイヤは、傾斜ベルト層４ａの端部と傾斜ベルト層４ｂの端部との間の領域内に設けられた周方向ベルト層の数が、この領域よりタイヤ幅方向内側に設けられた周方向ベルト層の数よりも多いことが好ましい。周方向ベルト層の枚数をこのような関係とすると、簡易な構成により、傾斜ベルト層４ａの端部と傾斜ベルト層４ｂの端部との間のタイヤ幅方向領域の剛性を高めることができる。なおこの領域内に設けられた周方向ベルト層の層数を、この領域よりタイヤ幅方向内側に設けられた周方向ベルト層の層数よりも多くする以外の方法で、当該領域内の剛性を高めてもよい。例えば、当該領域内の周方向ベルト層に使用するコードを、当該領域よりタイヤ幅方向内側の周方向ベルト層に使用するコードよりもヤング率の高いものを使用することで、傾斜ベルト層４ａの端部と傾斜ベルト層４ｂの端部との間の領域の剛性を高めてもよい。なお、「ヤング率」は、ＪＩＳ Ｌ１０１７ ８．５ ａ） （２００２）にて試験を行い、ＪＩＳ Ｌ１０１７ ８．８（２００２）に準拠して求めるものである。さらに、タイヤ幅方向断面におけるタイヤ幅方向の単位長さ当たりの素線数を変えてもよく、上記タイヤ幅方向領域内での素線数を上記タイヤ幅方向領域より内側での素線数より多くすることもできる。
特に、ベルト層４ａの端部とベルト層４ｂの端部との間の領域におけるヤング率は、層数や単位長さ当たりの素線数等のコードのヤング率以外の構成が同じである場合、上記タイヤ幅方向領域より内側のコードのヤング率の１．５〜２．５倍とすることが好ましい。同様に、ベルト層４ａの端部とベルト層４ｂの端部との間の領域におけるタイヤ幅方向の単位長さ当たりの素線数は、層数やヤング率等のタイヤ幅方向の単位長さ当たりの素線数以外の構成が同じである場合、上記タイヤ幅方向領域より内側のタイヤ幅方向の単位長さ当たりの素線数の１．５〜２．５倍とすることが好ましい。
【００３７】
また、図１の実施形態に示すように、本発明の空気入りタイヤは、傾斜ベルト層４ａの端部と傾斜ベルト層４ｂの端部との間のタイヤ幅方向領域内には２層の周方向ベルト層６ａ及び６ｂが設けられ、この領域よりタイヤ幅方向内側には１層の周方向ベルト層６ａが設けられていることが好ましい。このような構成であれば、少ない部材数で傾斜ベルト層４ａの端部と傾斜ベルト層４ｂの端部との間の領域の剛性を高めることができる。なおこの領域内及び領域よりタイヤ幅方向内側の周方向ベルト層の数は、それぞれ２枚及び１枚に限定されるものではない。例えば、当該領域よりタイヤ幅方向内側には周方向ベルト層を設けず、領域内にのみ周方向ベルト層を設けてもよい。さらに、例えば当該領域内に３以上の周方向ベルト層を設けてもよく、この場合、当該領域内と領域よりタイヤ幅方向内側の周方向ベルト層の層数の差は、１層でもよく、２層以上としてもよい。
【００３８】
さらにまた、本発明の空気入りタイヤは、図２に示すように、傾斜ベルト層４ａのコードのタイヤ周方向に対する傾斜角度θ１が、１０°≦θ１≦３０°であり、傾斜ベルト層４ｂのコードのタイヤ周方向に対する傾斜角度θ２が、１０°≦θ２≦３０°であることが好ましい。このようにすると、幅方向剛性が過度に低くなることを抑制して、高荷重時のコーナリングフォースが低くなりすぎることを抑制できる。
【００３９】
以下、本発明の実施例について説明するが、本発明はこの実施例に何ら限定されるものではない。
【実施例】
【００４０】
本発明の効果を確かめるため、発明例１〜３にかかるタイヤと、比較例１〜３にかかるタイヤを試作した。各タイヤの諸元は、以下の表１に示している。タイヤサイズはいずれも２２５/５０Ｒ１７である。そして、各タイヤに対し、コーナリングフォースの荷重依存性及びタイヤの耐久性を評価する試験を行った。
なお、各タイヤは、図１に示すように、一対のビード部に埋設されたビードコアに係止されるカーカスと、該カーカスのクラウン部のタイヤ径方向外側に設けられた２層の傾斜ベルト層からなる傾斜ベルト及びトレッドとを備えるタイヤである。
【００４１】
＜コーナリングフォース＞
上記各発明例及び比較例のタイヤをリム（サイズは７．５Ｊ−１７）に組み付け、内圧２２０ｋＰａを付与した後、車両に装着し、フラットベルト式コーナリング試験機において測定を行った。なお、ベルト速度を１００ｋｍ／ｈとし、２つの異なる荷重条件下、すなわち、適用サイズ・プライレーティングにおける最大負荷能力の８０、３０％にあたる荷重条件下において得られるコーナリングフォースを測定した。
【００４２】
＜補強ベルトの剛性＞
補強ベルト繊維のヤング率をE1、ベルト単位巾当たりの打ち込み数をaとした際、a×E1として補強ベルトの剛性を評価した。
【００４３】
＜タイヤ耐久性＞
上記各発明例及び比較例のタイヤをリム（サイズは７．５Ｊ−１７）に組み付け、内圧２２０ｋＰａを付与した状態で、ドラム試験機にて一定距離走行後、タイヤ内外部に発生する破損量（亀裂大きさ）の大小を比較して耐久性を評価する。
【００４４】
結果を表１に示す。コーナリングフォースの値は、比較例タイヤ２の負荷荷重30％における、タイヤのコーナリングフォースを１００として指数評価したものである。なお、指数が大きいほど、コーナリングフォースが大きいことを示している。なお、表中のα／β（％）を参照することで、コーナリングフォースの荷重依存性の高低が分かる。数値の小さい方が、荷重依存性が低いことを示している。
【００４５】
【表１】
0006450112.tif 000002
【００４６】
表１に示すように、発明例１〜３にかかるタイヤは、いずれも比較例１〜３にかかるタイヤより、コーナリングフォース依存性が改善されている。また表１には示していないが、発明例１〜３にかかるタイヤは、いずれも比較例１〜３にかかるタイヤに比べてタイヤ耐久性が確保されていた。一方比較例１は、コーナリングフォース依存性が改善されているものの、傾斜ベルト層４ｂの幅Ｗ２が狭く、Ｗ２／Ｗ１の値が０．２５より小さいため、タイヤの耐久性を確保できなかった。比較例２は、傾斜ベルト層４ｂの幅Ｗ２が広く、Ｗ２／Ｗ１の値が０．８より大きいため、タイヤ耐久性は発明例１〜３に劣らなかったが、コーナリングフォース依存性が改善できなかった。比較例３では、周方向ベルト層の数領域内と、領域の間とで等しいため、タイヤの耐久性を確保できていない。発明例１と発明例２とを比較すると、θ１及びθ２を１０°以上３０以下とした発明例１の方がコーナリングフォースの荷重依存性が低減されている。発明例２と発明例３とを比較すると、０．６≦（Ｗ２／Ｗ１）≦０．８を満たす比較例２の方が、タイヤの剛性が高く維持されている。
【符号の説明】
【００４７】
１：タイヤ（空気入りタイヤ）、  ２：ビード部、  ３：カーカス、  ４：ベルト、  ４ａ、４ｂ：傾斜ベルト層、  ５：トレッド、  ６：補強ベルト、  ６ａ、６ｂ：周方向ベルト層、  ＣＬ：タイヤ赤道面、
【図１】
0006450112.tif 000003
【図２】
0006450112.tif 000004